(57)【特許請求の範囲】
【請求項１】
券紙をロール状に巻いてロール紙を形成し、前記券紙が巻き戻されて分離するに従って回転する前記ロール紙を保持する保持部と；
前記券紙にテンションを与える補助フィードローラを含み、前記券紙に与えらえたテンションにより前記保持部に保持された前記ロール紙から前記券紙を引き出し搬送する搬送部と；
前記券紙を巻き付け、前記券紙の搬送方向を変えて案内するテンションローラであって、前記券紙に与えられるテンションによって作用する、前記テンションローラの半径方向への力により、前記券紙の巻き付き半径が小さくなるように弾性変形する弾性部材を含んで構成されたテンションローラとを備え；
前記弾性部材の復元力により、前記券紙が前記保持部から前記テンションローラまで送り出されるように、前記ロール紙と前記補助フィードローラ間に前記テンションローラを設けた；
発券装置。
【請求項２】
前記弾性部材が、前記テンションローラのボス部に取り付けられ、前記ボス部から外周部へ湾曲して放射状に広がる羽根形状を有する；
請求項１に記載の発券装置。
【請求項３】
前記弾性部材が、ゼンマイ形状の板バネからなる；
請求項１に記載の発券装置。
【請求項４】
前記保持部が一対備えられ；
前記一対の保持部にそれぞれ保持されている券紙の面が互いに対向するように、前記保持部が配置された；
請求項１から請求項３のいずれか１項に記載の発券装置。
【発明の詳細な説明】
【０００１】
【発明の属する技術分野】
本発明は、乗車券、食券を発行する自動券売機、映画館のチケット、温泉の入場券を発行する券発行機などに内蔵される発券装置に関するものである。
【０００２】
【従来の技術】
発券装置は、ロール状に巻かれた券紙（以下ロール紙という）を発券時に規定の長さで送り出して、切断後に表面に印字しあるいはさらに裏面に磁気情報を書き込んでいる。ここで用いられるロール紙は、発券装置に取り付けれるため中心部にロール芯を設け、１巻での発行枚数を多く取るため、このロール芯を小径とし、さらにロール紙の外径を大きく取るようにしている。係員によるロール紙の交換に際して装置の停止を避けるため、またロール紙の交換回数を少なくするため、発券装置が備えるロール紙を２巻としている。
【０００３】
中心部のロール芯を小径としロール紙の外径を大きくしているため、ロール紙の使用し始めの段階ではロール紙のＧＤ２が大きい。よって、フィードローラにより券紙に送り力をかけテンションを与えても、ロール紙が回転して前述の規定の長さの券紙を送り出すのに時間がかかるので、フィードローラがスリップしてしまう。
【０００４】
このため、従来の発券装置は、図５に示すように、所定のテンションローラ116を固定板119の一端に回転自在に取り付け、発券装置（図５に不図示）の不図示の壁に回動軸102を設けて固定板119の他端を回動自在に取り付け、さらに回動軸102に弾性部材としてのバネ106を、回動に対する反力を生じさせるために取り付けていた。バネ106は、発券装置の壁に設けたピン103と、固定板119に設けたピン104との間に掛け渡している。
【０００５】
券紙107にフィードローラ（図５に不図示）の送り力によりＰ方向のテンションが与えられると、テンションローラ116が図中テンションローラ116'として示す位置までＱ方向に回動し、この回動により券紙107が送り出される。したがって、バネ106の一端がピン104と共に図中ピン104'として示す位置まで回動して図にバネ106'として示すように弾性変形し、テンションローラ116'が元に戻ろうとする反力が発生する。この反力によりロール紙（図５に不図示）が回転し、ロール紙から、前述の規定の長さの券紙107がテンションローラ116'まで送り出され、その後、テンションローラ116'が元の位置に戻る。
【０００６】
【発明が解決しようとする課題】
以上のようなテンションローラ116が備えられた従来の発券装置によれば、テンションローラ等も自重を有し、例えばロール紙を上下に２巻併設し印刷部を共通とする場合に、図５とは上下逆さまに取り付けられることもあり、取り付けられる姿勢によって、ばね106の調整等を必要としていた。また、固定板119を有していたため特にローラを複数設ける場合、テンションローラ116の取り付けスペースが大きく、発券装置が大型化していた。
【０００７】
そこで本発明は、取り付け姿勢により調整の必要がなく、取り付けスペースが小さいテンションローラを備えた発券装置を提供することを目的としている。
【０００８】
【課題を解決するための手段】
上記目的を達成するために、第１の態様に係る発明による発券装置101、例えば図１に示すように、券紙1a、bを保持する保持部3a、bと；保持部3a、bに保持された券紙1a、bを引き出し搬送する搬送部4、5と；券紙1a、bの搬送方向を変えて案内するテンションローラ16a、b、17a、bであって、券紙1a、bによって作用するテンションローラ16a、b、17a、bの半径方向の力により、前記半径方向に弾性変形する弾性部材43を含んで構成されたテンションローラ16a、b、17a、bとを備える。
【０００９】
このように構成すると、券紙1a、bの搬送方向を変えて案内するテンションローラ16a、b、17a、bであって、券紙1a、bによって作用するテンションローラ16a、b、17a、bの半径方向の力により、この半径方向に弾性変形する弾性部材43を含んで構成されたテンションローラ16a、b、17a、bを備えるので、券紙1a、bに搬送部4、5によって搬送力が作用するとテンションローラ16a、b、17a、bに巻き付いている券紙1a、bの巻き付き半径が小さくなり、券紙1a、bの巻き付き半径が小さくなった分に相当する長さだけ、券紙1a、bが搬送部4、5に送り出される。
【００１０】
よって、搬送部4、5によって券紙1a、bにテンションが作用したとき、保持部3a、bに保持されている券紙1a、bが、保持部3a、bから送り出されるのに時間がかかる場合であっても、テンションローラ16a、b、17a、bに巻き付いている部分の券紙1a、bが送り出されるので、搬送部4、5においてスリップ等が発生することがない。その後、弾性部材43の復元力により、券紙1a、bが保持部3a、bからテンションローラ16a、b、17a、bまで送り出され、弾性部材43は元の形状に戻る。
【００１１】
また、テンションローラ16a、b、17a、bは、半径方向に半径が小さくなるように弾性変形するので、取り付け位置の自由度が大きく、かつ取り付けスペースの減少が可能となる。
【００１２】
第２の態様による発券装置101は、第１の態様の発券装置において、例えば図１、図３に示すように、弾性部材43が、テンションローラ16a、b、17a、bのボス部42に取り付けられ、ボス部42から外周部へ湾曲して放射状に広がる羽根形状を有する。
【００１３】
このように構成すると、弾性部材43が、テンションローラ16a、b、17a、bのボス部42に取り付けられ、ボス部42から外周部へ湾曲して放射状に広がる羽根形状を有するので、テンションローラ16a、b、17a、bに巻き付いた券紙1a、bに搬送部4、5によってテンションが作用すると、弾性部材43にテンションローラ16a、b、17a、bの半径方向の力が作用し、弾性部材43がこの半径方向の力により半径方向に弾性変形する。よって、テンションローラ16a、b、17a、bに巻き付いている券紙1a、bの巻き付き半径が小さくなり、券紙1a、bの巻き付き半径が小さくなった分に相当する長さだけ、券紙1a、bが搬送部4、5によって送り出される。
【００１４】
第３の態様による発券装置101は、第１の態様の発券装置101において、例えば図１、図４に示すように、弾性部材66が、ゼンマイ形状の板バネ66からなる。
【００１５】
このように構成すると、弾性部材66が、ゼンマイ形状の板バネ66からなるので、テンションローラ16a、b、17a、bに巻き付いた券紙1a、bに搬送部4、5によってテンションが作用すると、弾性部材66にテンションローラ16a、b、17a、bの半径方向の力が作用し、弾性部材66がこの半径方向の力により当該半径方向に弾性変形する。
【００１６】
第４の態様による発券装置は、第１の態様から第３の態様のいずれか１の態様の発券装置101において、例えば図１に示すように、保持部3a、bが一対備えられ；一対の保持部3a、bにそれぞれ保持されている券紙1a、bの面が互いに対向するように、保持部3a、bが配置される。
【００１７】
このように構成すると、券紙1a、bを保持した保持部3a、bが、券紙1a、bの面が互いに対向するよう一対備えられるので、保持部3a、bを例えば上下２段に配置することができ、よって発券装置101の幅を狭くすることができ、発券装置101を小型化することができる。なお、券紙の面とは表面または裏面のことをいい、一方の面を表面とすると他方の面は裏面となる。
【００１８】
【発明の実施の形態】
以下、本発明の実施の形態について、図面を参照して説明する。なお、各図において互いに同一あるいは相当する部材には同一符号を付し、重複した説明は省略する。
【００１９】
図１は、本発明の実施の形態に係る発券装置101の構成を示す模式正面図である。発券装置101は、裏面に磁気情報の書き込みが可能である帯状の券紙1a、bをロール状に巻いて形成したロール紙2a、bと、保持部3a、bと、搬送部としての第一搬送部4と、搬送部としての第二搬送部5と、切断部6と、印字部7と、磁気処理部8とを含んで構成される。
【００２０】
ロール紙2a、bは、保持部3a、b（図中、一部破線にて表示）に保持され、保持部3a、bは、それぞれ保持板10a、b（図中、一部破線にて表示）と、保持板10a、bに取り付けられた支持軸11a、bとを含んで構成される。ロール紙2a、bは、支持軸11a、b上に回転可能に保持されて、鉛直方向上下２段に１個ずつ配置されている。この状態でロール紙2aの裏面とロール紙2bの表面は互いに対向して配置されている。ロール紙2aは図中上側に配置され、ロール紙2bは図中下側に配置されている。保持部3a、bは、ロール紙2a、bを保持した状態で、発券装置101からＸ１、Ｘ２方向（水平方向）にそれぞれ引き出しが可能である。
【００２１】
図２に、保持部3aをＸ１方向から見た模式側面図を示す。保持部3bをＸ２方向から見た図では、テンションローラ16ｂ、17bがテンションローラ16a、17aとは湾曲方向を逆にして取り付けられている。
【００２２】
図１を参照して説明を続ける。ロール紙2a、bは、保持板10a、bとは反対の対向する側に配置されたガイド12（図中二点鎖線にて表示）により図から垂直に飛び出す方向（水平方向）の移動を規制されている。
【００２３】
ロール紙2a、bは、ロール形状の部分から帯状の券紙1a、bが巻き戻されて分離するにしたがって、図中それぞれＹ１、Ｙ２方向に回転する。ロール紙2a、bから分離した帯状の券紙1a、b（以後単に券紙という）は、図中保持板10a、bの左端に取り付けられたガイドローラ13a、b、14a、bを通り移動方向を変えて案内される。さらに券紙1a、bは、図中保持板10a、bの右端に取り付けられたテンションローラ16a、b、17a、bを通ってそれぞれ移動方向を変えて案内され、図中左水平方向にそれぞれ繰り出されて移動し、第一搬送部4に向かう。券紙1bは、ガイドローラ14bを通過した後、ロール紙2bの外周部に接触し、テンションローラ16bへ向かう。券紙1a、bは、テンションローラ17a、bを出た後、第一搬送部4に向かって略水平方向に移動している状態で、共に表面が上、裏面が下の状態になる。
【００２４】
図中、ロール紙2a、bは新しく取り付けた直後の状態のものを実線にて示す。ロール紙2a、bから券紙1a、bが分離されて使用され、径が小さくなった状態のロール紙を図中、ロール紙102a、bとして二点鎖線にて示し、この場合にロール紙102a、bから分離される券紙を券紙151a、bとして二点鎖線にて示す。
【００２５】
ガイドローラ13a、bとガイドローラ14a、bとの間に、券紙1a、bの有無を検出するためのセンサ15a、bが配置されている。センサ15a、bは、装填されたロール紙2a、bが使い切る直前の状態であることを検出するために用いられ、保持板10a、bに取り付けられている。
【００２６】
第一搬送部4は、保持部3a、bに保持された上下のロール紙2a、bの中間位置に配置されており、帯状の券紙1a、bは第一搬送部4に入る際、テンションローラ16a、bを出た直後、テンションローラ17a、bによって水平方向に方向を変えられる。券紙1a、bは、第一搬送部4を通過するまでほぼこの方向に繰り出される。
【００２７】
第一搬送部4は、上下２段に配置された上部第一搬送部4aと下部第一搬送部4bとから構成される。上部第一搬送部4aと下部第一搬送部4bとは、それぞれ補助フィードローラ18a、bを含み、さらにこの補助フィードローラ18a、bに押し付けられて接触し、この補助フィードローラ18a、bとの間に券紙1a、bを挟むよう配置された自由ローラ19a、bと、補助フィードローラ18a、bの上流側に取り付けられた券紙1a、bを検出するセンサ34a、bとを含んで構成される。券紙1aは、上部第一搬送部4aによって搬送され、券紙1bは、下部第一搬送部4bによって搬送される。券紙1aは、上部第一搬送部4aを通過する前に、ガイドローラ20、ガイドローラ21によって、券紙1bから離れる方向にシフトされる。補助フィードローラ18a、bは、不図示の駆動機構によりどちらか一方が駆動され、同時に駆動されることはない。券紙1a、bが共にない状態では、最初に補助フィードローラ18a、bと自由ローラ19a、bに挟み込まれ第一搬送部4にセットされた券紙1a、bはセンサ34a、bに検出され第二搬送部5まで搬送される。次に第一搬送部4にセットされた券紙1a、bは、センサ34a、bに検出され、先端がガイドローラ23に達する手前まで搬送され、その状態で待機する。
【００２８】
第一搬送部4から搬送された券紙1a、bのいずれか一方を、次段まで搬送方向を変えてガイドするガイドローラ23が、第一搬送部4の直下流に配置されている。さらにガイドローラ23の直下流には第二搬送部5と、第二搬送部5を通過した後の券紙1a、bを顧客に手渡す所定の長さに切断する切断部6と、切断部6により切断された券35（券紙1a、bのいずれか一方が切断により券35になる。）に必要情報を印字する印字部7と、さらに自動改札等による使用を可能とするために券35に必要情報を書き込む、磁気処理部8とが、以上の順序で配置されている。第二搬送部5は、券紙1a、bに送り力を与えて搬送するフィードローラ24と、このフィードローラ24と対をなす自由ローラ25とを含んで構成される。
【００２９】
なお、券紙1aが上部第一搬送部4aを通過する間、券紙1bに平行になるようガイドするさらにもう一つのガイドローラ22が、上部第一搬送部4aの下流側、ガイドローラ23の上流側に配置されている。また、第二搬送部5のフィードローラ24は図示しない駆動モータによって駆動され、自由ローラ25は作動時にフィードローラ24に追動するよう構成されている。また、自由ローラ25は、図示しないばねを介してフィードローラ24の方向に付勢されている。
【００３０】
切断部6は、券紙1a、bを適宜な長さに切断するカッター26、カッター26を駆動する不図示の駆動部、切断のタイミング等を検出する不図示の検知器を含んで構成される。印字部7は、サーマルヘッド27、ブランデンローラ28を含んで構成され、切断された券35の表面に必要事項を印字する。
【００３１】
印字部7を通過した券35は、磁気処理部8に搬送される。磁気処理部8は券35を挟んで搬送する無端ベルト29、30と、券35に磁気情報を書き込む磁気情報書込部31と、書き込んだ磁気情報を読み込んで確認する磁気情報読込部32とを含んで構成される。無端ベルト29、30に挟まれて搬送され、磁気情報書込部31、磁気情報読込部32を通過して所定の磁気情報が書き込まれ、その内容が確認された券35は、略鉛直下方に向かうよう搬送方向を変更され、受皿33に放出される。図１中受皿33上に放出された券35を描いている。
【００３２】
図３を参照して、テンションローラ16a、b、17a、bの構成を説明する。テンションローラ16a、b、17a、bは、回転軸が挿入される貫通孔41が加工されたボス部42と、ボス部42に取り付けられた略円弧状の５枚の本発明の弾性部材としての羽根43を含んで構成される。羽根43はボス部42から外周部へ湾曲して放射状に広がり、先端部において、二点鎖線にて示す仮想の円44に内接するよう配置されている。券紙1a、bがテンションローラ16a、b、17a、bを通過することにより搬送方向を変えて案内される場合は、この円44に巻き付き、券紙1a、b（図１参照）が移動するに従い、テンションローラ16a、b、17a、bは、図中Ｙ方向に回転する。
【００３３】
図に示す羽根43'は、券紙1a、bに送りを与えるため第一搬送部4（図１参照）によってテンションがかかった場合に、券紙1a、bから与えられるテンションによって羽根43が弾性変形した状態を表し、弾性変形した羽根43'が内接する円44'の半径は円44の半径より小さい。
【００３４】
まず、券紙1a、bの装填の場合、装填によって第一搬送部4に挿入された券紙1a、bに補助フィードローラ18a、bによりテンションが与えられ、よってロール紙2a、bにもテンションが与えられる。最初の装填の場合は、ロール紙2a、bの外径は最大であり、ロール紙2a、bのＧＤ２が大きいため、ロール紙2a、bが回転し、所定の長さの券紙1a、bを送り出すのに時間がかかる。また、券紙1a、bのいずれか一方が第二搬送部5のフィードローラ24に達し、その後に発券動作が行われる場合も、ロール紙2a、bの外径が大きいときは、ロール紙2a、bのＧＤ２が大きいため、ロール紙2a、bが回転し、所定の長さ券紙1a、bを送り出すのに時間がかかる。
【００３５】
しかし、テンションローラ16a、b、17a、bは、券紙1a、bにテンションがかかった場合に、テンションのかかった羽根43が図に示す羽根43'のように弾性変形するので、ロール紙2a、bが十分に回転していない状況であっても券紙1a、bが送り出される。よって、装填時及び発券時のいずれの場合でも第一搬送部4の補助フィードローラ18a、b、及び第二搬送部5のフィードローラ24がスリップを起こすことがなく、スムーズに券紙1a、bを送り出すことができる。そこで、券紙1a、bを傷つけることを防止し、印字または磁気情報の書き込みには、所定の長さが必要な券の、スリップによる長短を防止できる。券紙1a、bが送り出された後であっても、券紙1a、bには羽根43'による復元力に起因するテンションがかかっており、このテンションによりロール紙2a、bが十分に回転し券紙1a、bがロール紙2a、bからテンションローラ16a、b、17a、bまで送り出され、羽根43'が元の形状、すなわち図中羽根43として描かれた形状に復帰する。
【００３６】
羽根43が半径方向に弾性変形するので、テンションローラ16a、b、17a、bの取り付け姿勢によって羽根43の変形モードが変わることがなく、テンションローラ16a、b、17a、bの取り付けに際してテンションローラ16a、b、17a、bの調整が不要となり、発券装置101の組立時間を減少させることができる。また、羽根43をテンションローラ16a、b、17a、bの一部を構成する構造としたので、テンションローラ16a、b、17a、bの取り付けスペースを減少させることができ、発券装置101を小型化することができる。
【００３７】
次に、図１を参照して発券装置101の作用について説明する。
保持部3a、bをそれぞれＸ１、Ｘ２方向に引き出しロール紙2a、bを保持部3a、bの支持軸11a、bに取り付ける。券紙1a、bを、ガイドローラ13a、b、14a、bに掛け渡し、さらに券紙1aをテンションローラ16a、17aに掛け渡し、券紙1bをロール紙2bの外周を介してテンションローラ16b、17bに掛け渡す。そして、保持部3a、bをそれぞれ反Ｘ１、反Ｘ２方向に押して発券装置101にセットし、券紙1a、bを補助フィードローラ18a、bと自由ローラ19a、bとの間に挿入する。
【００３８】
発券装置101は、センサ15aによる検出と補助フィードローラ18aの手前に設けられたセンサ34aによる検出とにより、補助フィードローラ18aとフィードローラ24とが不図示の駆動モータにより回転を開始する。挿入された券紙1aは、上部第一搬送部4aすなわち補助フィードローラ18aと、自由ローラ19aとに挟み込まれて搬送され、券紙1aはさらに第二搬送部5すなわちフィードローラ24と自由ローラとに挟み込まれるまで搬送され、装填が終了する。
【００３９】
このとき、まず補助フィードローラ18aによって、券紙1aに送りを与えるためにテンションが与えられる。このとき、ロール紙2aのＧＤ２が大きいのでロール紙2aが回転して所定の長さの券紙1aが送り出されるまでに時間がかかり、さきにテンションローラ16a、17aの羽根43が羽根43'（図３参照）のごとく弾性変形する。よって、テンションローラ16a、17aに掛かっている券紙1aの巻き付き半径が円44（図３参照）の半径から円44'（図３参照）の半径に減少する。よって、テンションローラ16a、17aに掛かっている部分の券紙1aが送り出される。
【００４０】
券紙1aが送り出されるたのち、弾性変形した羽根43'が元の羽根43に戻る復元力によりロール紙2aが回転し、ロール紙2aに掛かっている部分の券紙1aがテンションローラ16a、17aに送り出される。
【００４１】
通常の発券に際して券紙1aを送り出すときに補助フィードローラ18a、及びフィードローラ24によって券紙1aに送りが与えられるときも、テンションローラ16a、17aは前述した装填時と同じように作用して、所定の長さの券紙1aが送り出される。
【００４２】
よって、本発明の発券装置101は、券35の発行時に、好ましくないＧＤ２の大きさに応じて起きうる券の長短（所定の長さより長かったり短かったりすること）の発生を簡単な構成により防止することができる。
【００４３】
送り出された券紙1aは、切断部6により所定の長さに切断され券35となり、券35は印字部7で必要事項が印字され、無端ベルト29、30により挟まれて搬送されている間に磁気処理部8により磁気情報が書き込まれて確認され、受皿33に放出される。
【００４４】
ロール紙2aの券紙1aがなくなり、ガイドローラ13a、14a間に配置されたセンサ15aによって、ロール紙無し検知がなされる。その後所定枚数の券35の発行がなされ、他方のロール紙2bに対応する補助フィードローラ18b、フィードローラ24とがそれぞれ不図示の駆動モータによって所定の時間駆動され、まず補助フィードローラ18bによって送りが与えられ、次にフィードローラ24によって送りが与えられ券紙1bがフィードローラ24と自由ローラ25とに挟み込まれるまで搬送される。
【００４５】
通常の発券に際して券紙1bを送り出すときに補助フィードローラ18b、及びフィードローラ24によって券紙1bに送りが与えられるときも、前述と同じように作用して、券紙1bが送り出され、券35が発行される。その後、ロール紙2bの券紙1bがなくなり、ガイドローラ13b、14b間に配置されたセンサ15bによって、ロール紙無し検知がなされると、動作中に券紙無しが検知された券紙1aの装填がなされていない場合には発券装置101は停止する。
【００４６】
テンションローラ16a、b、17a、bは、停止しているロール紙2a、bから補助フィードローラ18a、b、フィードローラ24によって券紙1a、bを一定長さ引き出す場合の、補助フィードローラ18a、b、フィードローラ24におけるスリップを防止するために設けられる。これは回転に対して慣性負荷となるロール紙2a、bにトルクを作用させるため、券紙1a、bに力を作用させても、ロール紙2a、bにはすぐに回転が生じない。このためロール紙2a、bの回転による券紙1a、bの移動が生じなくても、券紙1a、bの搬送方向を転換させているテンションローラ16a、b、17a、bに巻き付いている券紙1a、bを移動させることで、補助フィードローラ18a、b、フィードローラ24のスリップが防止できる。
【００４７】
すなわち、停止していたロール紙2a、bに対して、補助フィードローラ18a、b、フィードローラ24による送りが始まるとロール紙2a、bに急激なトルクがかかる。しかし、テンションローラ16a、b、17a、bは、このトルクに起因して券紙1a、bにかかるテンションにより半径方向内部に向かって弾性変形する羽根43を備える。よって、この弾性変形によって急激にかかるトルクの一部を吸収し、テンションローラ16a、b、17a、bにおける券紙1a、bの巻き付き半径を減少させる。したがって、慣性負荷であるロール紙2a、bにトルクが作用した場合の、券紙1a、bの移動による搬送を自動的に可能ならしめることとなり、補助フィードローラ18a、b、フィードローラ24のスリップが防止できる。
【００４８】
図４を参照し、他の実施の形態のテンションローラ65の構成を説明する。テンションローラ65は、回転軸が挿入される貫通孔61が加工されたボス部62と、ボス部62に取り付けられた、ゼンマイ形状の弾性部材としての板バネ66とを含んで構成される。板バネ66は、最も外側に巻かれた部分が、二点鎖線にて示す仮想の円64に内接するよう配置されている。この円64に巻き付き、券紙1a、b（図１参照）が移動するに従い、テンションローラ65は、図中Ｚ方向に回転する。券紙1a、bにテンションがかかった場合、板バネ66は、内接する円の直径が小さくなるように弾性変形する。テンションローラ65の弾性変形の形態が、前述のテンションローラ16a、b、17a、bと異なるが、テンションローラ65を備えた発券装置の作用は、前述のテンションローラ16a、b、17a、bを備えた発券装置101の作用と同じである。
【００４９】
なお、図３のテンションローラ16a、b、17a、bは、図４のテンションローラ65より安価に製作することができる。
【００５０】
【発明の効果】
以上のように本発明によれば、券紙によって作用するテンションローラの半径方向の力により、当該半径方向に弾性変形する弾性部材を含んで構成されたテンションローラを設けたので、搬送部による、券紙を送り出す搬送力が券紙に作用したとき、テンションローラの弾性部材がテンションローラの半径方向に弾性変形する。よって、テンションローラに巻き付いている券紙の巻き付き半径が小さくなり、テンションローラに巻き付いている券紙を搬送することができ、保持部材に保持されている券紙をその後に弾性部材の復元力によりテンションローラまで送り出すことができる。したがって、搬送力を券紙に作用させた搬送部にスリップが生じることを避けることができる。また、搬送部にスリップが生じないので適切な長さの券紙を搬送することができる。
【００５１】
また、テンションローラにおいて、テンションローラを構成する弾性部材が半径方向に弾性変形するので、テンションローラの取り付け姿勢によって弾性部材の変形モードが変わることがなく、テンションローラの取り付けに際してテンションローラの調整が不要となる。また、テンションローラを半径方向に弾性変形する弾性部材を含んだ構成としたので、テンションローラの取り付けスペースを減少させることができる。
【図面の簡単な説明】
【図１】本発明の実施の形態に係る発券装置の構成を示す模式正面図である。
【図２】図１の発券装置の保持部をＸ１方向から見た模式側面図を示す。
【図３】図１の発券装置のテンションローラの構成を説明する模式図である。
【図４】他の実施の形態のテンションローラの構成を説明する模式図である。
【図５】従来の発券装置のテンションローラの構成を説明する模式図である。
【符号の説明】
1a、b    券紙
2a、b    ロール紙
3a、b    保持部
4    第一搬送部
4a   上部第一搬送部
4b   下部第一搬送部
5    第二搬送部
6    切断部
7    印字部
8    磁気処理部
16a、b    テンションローラ
17a、b    テンションローラ
18a、b    補助フィードローラ
19a、b    自由ローラ
24    フィードローラ
25    自由ローラ
26    カッター
27    サーマルヘッド
28    ブランデンローラ
31    磁気情報書込部
32    磁気情報読込部
42    ボス部
43    羽根
62    ボス部
65    テンションローラ
66    板バネ
101    発券装置
【図１】
0004750292.tif 000002
【図２】
0004750292.tif 000003
【図３】
0004750292.tif 000004
【図４】
0004750292.tif 000005
【図５】
0004750292.tif 000006